(57)【要約】【課題】大きさの異なるガラス戸やガラス窓の断熱を行うことができ、且つ、枠部材に着脱容易な断熱シート取付具を提供する。【解決手段】取付具１０は、枠部材２１とガラス２５との隙間に挿脱可能に挿入可能な弾性を有する挿入部１１を備える。挿入部１１に連続して断熱シート２６をガラス２５表面に押し付ける押さえ部１２を備える。ガラス２５表面からの押さえ部１２の高さは、挿入部１１が枠部材２１とガラス２５との隙間に挿入された状態で、ガラス２５表面からの枠部材２１の高さ寸法以内とする。【選択図】      図２
2004324147.tif 000002
【特許請求の範囲】
【請求項１】
枠部材に嵌め込まれたガラスに沿って断熱シートを保持するための取付具であって、
前記枠部材と前記ガラスとの隙間に挿脱可能に挿入可能な弾性を有する挿入部と、この挿入部に連続して設けられ、前記断熱シートを前記ガラス表面に押し付ける押さえ部とを備えたことを特徴とする断熱シート取付具。
【請求項２】
前記挿入部が前記枠部材と前記ガラスとの隙間に挿入された状態で、前記ガラス表面からの前記押さえ部の高さは、前記ガラス表面からの前記枠部材の高さ寸法以内となることを特徴とする請求項１の断熱シート取付具。
【請求項３】
前記挿入部は、前記枠部材の長手方向寸法より短いことを特徴とする請求項１又は請求項２の断熱シート取付具。
【請求項４】
弾性を有する板材の折曲形成により、前記挿入部と前記押さえ部とを構成したことを特徴とする請求項１、請求項２又は請求項３の断熱シート取付具。
【請求項５】
前記挿入部が前記枠部材と前記ガラスとの隙間に挿入された状態で前記押さえ部を前記ガラス面側に所定の圧力で付勢できる方向に所定角度折曲したことを特徴とする請求項１、請求項２、請求項３又は請求項４の断熱シート取付具。
【請求項６】
前記押さえ部に所定寸法の貫通孔を形成したことを特徴とする請求項１、請求項２、請求項３、請求項４又は請求項５の断熱シート取付具。
【発明の詳細な説明】
【０００１】
【発明の属する技術分野】
本発明は、枠部材に嵌め込まれたガラスに沿って断熱シートを保持するための取付具に関するものである。
【０００２】
【従来の技術】
従来より建物の室内と戸外とを仕切り室内に光を採り入れるため複数の窓が設けられている。これらの複数の窓にはガラス戸やガラス窓が設けられており、このガラス戸やガラス窓の枠部材には一般的に一重のガラスが嵌め込まれている。一重のガラスが嵌め込まれた家屋のガラス戸やガラス窓は熱移動が大きく、寒い冬季に室内が暖房されると室内の暖められた空気と戸外の冷たい空気とがガラスを介して熱移動してしまうため大きな熱エネルギーロスが発生して暖房費用が高騰してしまう。また、暑い夏季に室内が冷房されると室内の冷やされた空気と戸外の暖かい空気とがガラスを介して熱移動してしまうためやはり大きな熱エネルギーロスが発生して冷房費用が高騰してしまう。特に、冬季などはガラス戸やガラス窓の室内側に結露が生じ、そこにカビが発生して不衛生であった。
【０００３】
そこで、二枚のガラスの間に真空層を設けた二重ガラスが開発されガラス戸やガラス窓に使用されてきている。この真空層を設けた二重ガラスは一重ガラスよりも断熱効果が大きく遮音性も優れているので、省エネルギーを達成することができることから近年普及してきている。しかし、従来から家屋に使用されている一重ガラスのガラス戸やガラス窓のガラスを、真空層を設けた二重ガラスに交換すると多大な費用負担が発生してしまう。そこで、室内の暖房効果を高めるため、ガラス戸やガラス窓の枠部材の大きさに一致させた格子状の枠体を設け、この枠体を接着剤で枠部材に接着固定することにより枠体とガラス戸やガラス窓のガラス面の間に保温シート（断熱シート）を保持していた（特許文献１参照）。
【０００４】
【特許文献１】
特開平８−２６０８３２号公報（Ｅ０６Ｂ５／００）。
【０００５】
【発明が解決しようとする課題】
しかしながら、ガラス戸やガラス窓には大きさの異なるものがある。この大きさの異なるガラス戸やガラス窓に嵌め込まれたガラス表面に断熱シートを保持するためにはこれらの大きさの異なるガラス戸やガラス窓の枠部材の大きさに格子状の枠体を一致させる必要がある。このため、大きさの異なるガラス戸やガラス窓の枠部材に一致させた枠体を用意しておかなければ、それらの大きさの異なるガラス戸やガラス窓に嵌め込まれたガラス表面に断熱シートを保持することができないという問題があった。
【０００６】
また、室内の暖房効果を高めるためガラス戸やガラス窓の枠部材内側に接着剤で枠体を固定し、この枠体とガラス表面との間に断熱シートを保持していた。このため、断熱シートの交換或いは取り外しを行う場合、枠体は接着剤にて枠部材に固定されているため、ガラス戸やガラス窓の枠部材から枠体を外すのが非常に困難である。特に、枠体を長期間接着剤でガラス戸やガラス窓の枠部材に固定した後枠体を外すと枠部材に接着剤が残ってしまう。このため、賃貸アパートなど釘や接着剤を使用できない所ではガラス戸やガラス窓に嵌め込まれたガラスに断熱シートを取り付けられないという問題があった。
【０００７】
また、本発明は、係る従来技術の課題を解決するために成されたものであり、大きさの異なるガラス戸やガラス窓の断熱を行うことができ、且つ、枠部材に着脱容易な断熱シート取付具を提供することを目的とする。
【０００８】
【課題を解決するための手段】
即ち、本発明の断熱シート取付具は、枠部材に嵌め込まれたガラスに沿って断熱シートを保持するためのものであって、枠部材とガラスとの隙間に挿脱可能に挿入可能な弾性を有する挿入部と、この挿入部に連続して設けられ、断熱シートをガラス表面に押し付ける押さえ部とを備えたことを特徴とする。
【０００９】
また、請求項２の発明の断熱シート取付具は、上記において、挿入部が枠部材とガラスとの隙間に挿入された状態で、ガラス表面からの押さえ部の高さは、ガラス表面からの枠部材の高さ寸法以内となることを特徴とする。
【００１０】
また、請求項３の発明の断熱シート取付具は、請求項１又は請求項２において、挿入部は、枠部材の長手方向寸法より短いことを特徴とする。
【００１１】
また、請求項４の発明の断熱シート取付具は、請求項１、請求項２又は請求項３において、弾性を有する板材の折曲形成により、挿入部と押さえ部とを構成したことを特徴とする。
【００１２】
また、請求項５の発明の断熱シート取付具は、請求項１、請求項２、請求項３又は請求項４において、挿入部が枠部材とガラスとの隙間に挿入された状態で押さえ部をガラス面側に所定の圧力で付勢できる方向に所定角度折曲したことを特徴とする。
【００１３】
また、請求項６の発明の断熱シート取付具は、請求項１、請求項２、請求項３、請求項４又は請求項５に加えて、押さえ部に所定寸法の貫通孔を形成したことを特徴とする。
【００１４】
【発明の実施の形態】
次に、図面に基づき本発明の実施形態を詳述する。図１は本発明の取付具１０を用いて断熱シート２６をガラス２５表面に取り付けたガラス戸２０の斜視図、図２は本発明の取付具１０の斜視図、図３は本発明の取付具１０の側面図をそれぞれ示している。図中１０は取付具、２０はガラス戸、２２はパッキン、２５はガラス、２６は断熱シートである。
【００１５】
取付具１０は、図示しない建物の室内と戸外との仕切って室内に光を採り入れるためガラス戸２０に設けられたガラス２５表面に後述する断熱シート２６を保持するためのもので、挿入部１１とこの挿入部１１に連続して折曲形成された押さえ部１２とから構成されている。この取付具１０は、容易に錆びないステンレス板、アルミ板、或いはリンセイ銅板などの弾性を有する金属板材の折曲形成により形成されている。
【００１６】
ここで、ガラス戸２０は、例えば周囲に設けられた枠部材２１内側に複数枚の一重のガラス２５が嵌め込まれたアルミサッシの引き戸で、枠部材２１は、所定の間隔を存して左右に設けられた一対の縦枠２１Ａ、２１Ａと、この縦枠２１Ａ間の上下に設けられた横枠２１Ｂ、２１Ｂとから縦長略矩形状に形成されている。また、上下に設けられた横枠２１Ｂ、２１Ｂの略中間には仕切枠２１Ｃが設けられ、枠部材２１を上下に仕切っている。
【００１７】
該ガラス戸２０には両縦枠２１Ａ、２１Ａと上側の横枠２１Ｂ及び仕切枠２１Ｃで囲まれた内側周囲、両縦枠２１Ａ、２１Ａと下側の横枠２１Ｂ及び仕切枠２１Ｃで囲まれた内側周囲にシリコンゴムなどの弾性を有するパッキン２２が設けられている。そして、パッキン２２でガラス２５両面周囲が保持されることにより、ガラス２５はそれらの枠部材２１に保持されている。尚、実施例のガラス戸２０はガラス２５を２枚用いているが、ガラス戸２０は２枚のガラス２５に限らず１枚或いは２枚以上の複数枚のガラス２５を設けたガラス戸２０でも差し支えない。
【００１８】
前記金属板材からなる取付具１０は、ガラス戸２０の枠部材２１に嵌め込まれたガラス２５との隙間に挿入可能な厚さを呈している。詳しくは、少なくとも取付具１０の挿入部１１は、枠部材２１の内側周囲に設けられガラス２５を保持するためのパッキン２２とガラス２５との間に挿入可能な約０．２ｍｍ〜０．３ｍｍの薄い厚さにて構成されている。挿入部１１は、縦長略矩形状を呈しており、パッキン２２とガラス２５との間に挿入される辺の長さ寸法を約２０ｍｍ、押さえ部１２までの幅寸法を約７ｍｍにて形成している。即ち、取付具１０はガラス戸２０周囲に延在する枠部材２１（縦枠２１Ａ、横枠２１Ｂ、仕切枠２１Ｃ）の１辺の長さ（枠部材２１の長手方向寸法）より短い寸法を呈している。
【００１９】
また、押さえ部１２はパッキン２２とガラス２５との間に挿入される挿入部１１の、挿入側の辺の反対側の辺に連続して側面略矩形状に折曲形成されている。押さえ部１２は対向して設けられた一対の側壁１２Ａ、１２Ｃと、この側壁１２Ａ、１２Ｃに直交して設けられた上壁１２Ｂと当接部１２Ｄとから構成されている。一方の側壁１２Ａは、挿入部１１の端部が折曲されて上方に所定寸法延在している。上壁１２Ｂは、両側壁１２Ａ、１２Ｃの両上端間に位置している。また、当接部１２Ｄは、他方の側壁１２Ｃの下端が折曲されて一方の側壁１２Ａ側に所定寸法延在している。
【００２０】
即ち、取付具１０は、所定の厚さの金属板材が折曲されて挿入部１１、側壁１２Ａ、上壁１２Ｂ、側壁１２Ｃ及び当接部１２Ｄが一体に形成されている。尚、挿入部１１の離間側の側壁１２Ｃを挿入部１１側の側壁１２Ａに対してガラス２５側に低くして接近させ、挿入部１１の離間側の上壁１２Ｂをガラス２５側に傾斜させるようにしても差し支えない。この場合、後述する断熱シート２６を押さえ部１２で押さえて、押さえ部１２（側壁１２Ｃ）がガラス２５表面より浮き上がった場合、上壁１２Ｂがガラス２５表面と平行、或いは、側壁１２Ｃ側が僅か低くなるように上壁１２Ｂを傾斜させるのが好ましい。
【００２１】
そして、取付具１０を側面から見た場合、押さえ部１２と挿入部１１とは、押さえ部１２と挿入部１１との接点で「ヘ」字状に折曲されている（図３）。即ち、取付具１０の挿入部１１が枠部材２１とガラス２５との隙間に挿入された状態で、押さえ部１２（当接部１２Ｄ）がガラス２５面側に所定の圧力で付勢できる方向に、挿入部１１に対して押さえ部１２がガラス２５側に所定角度折曲されている。
【００２２】
一方、断熱シート２６は、２枚の略透明のシート間に直径約８ｍｍの円形空気室２６Ａが複数形成されたエアーマットで、約３ｍｍの厚さを呈している。複数の空気室２６Ａは略透明シートの片面側に突出して設けられ、これらの空気室２６Ａには所定量の空気が封入されている。このような断熱シート２６でガラス２５表面を覆うことにより、ガラス戸２０の断熱効果を高めることができる。尚、空気は熱伝導度が極めて小さな値を示すことは従来より知られている。また、断熱シート２６は略透明シートの間に空気室２６Ａが形成されているものでも差し支えない。
【００２３】
即ち、ガラス戸２０の枠部材２１に嵌め込まれたガラス２５表面を断熱シート２６で覆うことによって、熱移動が大きいガラス２５の断熱を行うことができる。これにより、室内の冷暖房効果を大幅に向上させることができる。また、断熱シート２６は略透明のため、ガラス戸２０のガラス２５表面を断熱シート２６で覆っても、これによって室内が暗くなることはない。
【００２４】
そして、挿入部１１は点線白抜き矢印で示す如き枠部材２１とガラス２５との隙間に挿入される（図４、この図では断熱シート２６を図示していない）。挿入部１１が枠部材２１とガラス２５との隙間に挿入されると押さえ部１２は矢印方向に弾性変形して挿入部１１と押さえ部１２とは略水平になる（図５）。即ち、挿入部１１を枠部材２１とガラス２５との間に挿入することにより、押さえ部１２（当接部１２Ｄ）はガラス２５表面に所定の圧力で付勢する。
【００２５】
そして、ガラス戸２０に嵌め込まれた各ガラス２５表面全体を覆える大きさの断熱シート２６が用意され、この断熱シート２６がガラス２５表面に配設される。ガラス２５表面に配設された断熱シート２６周囲の端を押さえ部１２で押さえ、挿入部１１を枠部材２１とガラス２５との間に挿入する（図６）。この場合、挿入部１１は、枠部材２１に設けられたパッキン２２がガラス２５の離間側に弾性変形することにより、枠部材２１とガラス２５との間に挿入される。
【００２６】
このとき、取付具１０は押さえ部１２の一方の側壁１２Ａがパッキン２２に当接するまで挿入するのが好ましい。そして、断熱シート２６に弛みが発生しないように、断熱シート２６周囲を複数の取付具１０で押さえる。これにより、断熱シート２６は取付具１０（押さえ部１２）の弾性力でガラス２５表面に弛みなく押さえ付けられ保持される。尚、断熱シート２６がガラス２５表面に取付具１０で保持された状態で、断熱シート２６の各空気室２６Ａ間はガラス２５で遮蔽されるので、ガラス２５と断熱シート２６の各空気室２６Ａ以外の箇所にも空気室を形成することができる。これによって、ガラス２５表面全体に隙間無く空気室が形成されるので、略透明シートの間に空気室２６Ａが形成された高価な断熱シートを用いなくても、略透明シートの片面側に突出した空気室２６Ａの断熱シート２６でガラス２５表面の断熱を行うことができる。
【００２７】
係る挿入部１１が枠部材２１とガラス２５との間に挿入された状態で、ガラス２５表面からの押さえ部１２（上壁１２Ｂ）の高さは、ガラス２５表面から枠部材２１の高さ寸法以内に構成している。この場合、押さえ部１２で断熱シート２６を押さえた状態で、ガラス２５表面よりの押さえ部１２の高さ（図７矢印Ａ範囲）は、ガラス２５表面よりの枠部材２１の高さ（図７矢印Ｂ範囲）を越えない高さ寸法に構成している。即ち、ガラス２５表面からの押さえ部１２の高さを枠部材２１の高さより所定寸法低くしている。これにより、引き戸式の一方のガラス戸２０の開閉時（図７白抜き矢印）に他方のガラス戸２０の枠部材２１に押さえ部１２が当たってしまうのを防止することができる。
【００２８】
また、押さえ部１２上面（上壁１２Ｂ）には、挿入部１１が枠部材２１とガラス２５との隙間に挿入された取付具１０を外すための貫通孔１３が形成されている（図８）。この貫通孔１３は、Ｎｏ１或いはＮｏ２のマイナスドライバー２７の先端部２７Ａを容易に挿入できる大きさを呈している。即ち、貫通孔１３は、押さえ部１２の長手方向に沿って所定の長さ、所定の幅（実施例では半円形）で形成されると共に、貫通孔１３は側壁１２Ｃ側に形成されている。
【００２９】
そして、ガラス戸２０のガラス２５表面に取付具１０で取り付けた断熱シート２６を外す場合は、挿入部１１に設けた貫通孔１３にマイナスドライバー２７の先端部２７Ａを挿入する。次ぎに、マイナスドライバー２７を挿入部１１の離間側に移動させる（図８白抜き矢印）。これによって、枠部材２１とガラス２５との隙間に挿入部１１が挿入された取付具１０を軽い力で外すことができる。
【００３０】
このように、取付具１０は枠部材２１とガラス２５との間（隙間を含む）に挿脱可能に挿入可能な弾性を有する挿入部１１と、この挿入部１１に連続して設けられ、断熱シート２６をガラス２５表面に押し付ける押さえ部１２とを備えているので、挿入部１１を枠部材２１とガラス２５との隙間に挿入するだけで取付具１０を簡単に取り付けることができるようになる。また、枠部材２１とガラス２５との間に挿入した挿入部１１を引き抜くだけで簡単に取付具１０を取り外すことができる。これにより、ガラス戸２０のガラス２５表面への断熱シート２６の着脱を容易に行うことができる。
【００３１】
また、取付具１０は枠部材２１とガラス２５との隙間に挿入部１１を挿入するだけで押さえ部１２で断熱シート２６をガラス２５表面に押し付け保持することができるので、従来のようにガラス戸２０に断熱シート２６を取り付けるための取付枠や接着剤などを使用しなくても済む。これにより、断熱シート２６を着脱したガラス戸２０が傷ついたり汚れたりしてしまうのを未然に防止することができる。
【００３２】
また、押さえ部１２の高さは、挿入部１１を枠部材２１とガラス２５との隙間に挿入して断熱シート２６を押さえ部１２でガラス２５表面に押さえた状態で、ガラス２５表面から枠部材２１の高さ寸法以内としているので、引き戸式の一方のガラス戸２０の開閉時に他方のガラス戸２０の枠部材２１に押さえ部１２が当たってしまうのを防止することができる。これにより、取付具１０で断熱シート２６をガラス戸２０のガラス表面に取り付けた場合でも、支障なくガラス戸２０の開閉を行うことが可能となる。
【００３３】
また、挿入部１１は、枠部材２１の長手方向寸法より短くしているので、ガラス戸２０の小さな枠部材２１或いは大きな枠部材２１などでも、枠部材２１の大きさに規制されることなく断熱シート２６をガラス２５表面に押さえ付けて保持することが可能となる。これにより、窓ガラス２５の大きさに合わせた断熱シート２６の取付具１０を手配する必要もなくなるので、取付具１０の汎用性を大幅に向上させることができるようになる。
【００３４】
また、取付具１０は、弾性を有する板材の折曲形成により、挿入部１１と押さえ部１２とを構成し、挿入部１１が枠部材２１とガラス２５との隙間に挿入した状態で押さえ部１２（当接部１２Ｄ）をガラス２５面側に所定の圧力で付勢できる方向に所定角度折曲しているので、窓ガラス２５表面を覆った断熱シート２６を所定の圧力でガラス２５に押さえ付けることができる。これにより、押さえ部１２とガラス２５との間に断熱シート２６を保持することができるので振動やエアコン或いは扇風機の風などが断熱シート２６に当たった場合などでも、窓ガラス２５表面から断熱シート２６が脱落してしまうのを防止することができる。
【００３５】
また、押さえ部１２に所定寸法の貫通孔１３を形成しているので、この貫通孔１３にマイナスドライバー２７の先端部２７Ａなどを挿入することができる。これにより、枠部材２１とガラス２５との間に挿入した挿入部１１を容易に引き抜くことができる。従って、挿入部１１が枠部材２１とガラス２５との間に固く挿入固定されてしまった場合でも、取付具１０を容易に外すことができるので、ガラス２５表面に取付具１０で取り付けた断熱シート２６の交換或いは取り外しを容易に行うことができる。
【００３６】
次に、図９には本発明の他の実施例の取付具１０を示している。この場合、取付具１０の当接部１２Ｄは挿入部１１に対して所定寸法ガラス２５側に突出させている。これにより、前述の如き取付具１０を側面から見て、押さえ部１２と挿入部１１との接点で「ヘ」字状に折曲しなくても、挿入部１１を枠部材２１とガラス２５との隙間に挿入した状態で押さえ部１２（当接部１２Ｄ）を所定の圧力でガラス２５表面に付勢することができる。
【００３７】
これにより、押さえ部１２とガラス２５との間に断熱シート２６を保持することができ、前述同様の効果を得ることができる。尚、取付具１０は、側壁１２Ｃを挿入部１１側の側壁１２Ａに対して短くして、側壁１２Ｃ側が低くなるように上壁１２Ｂを傾斜させるのが好ましい。これによって、ガラス２５と当接部１２Ｄ間に所定の厚さの断熱シート２６を保持した場合、引き戸式の一方のガラス戸２０の開閉時に他方のガラス戸２０の枠部材２１に押さえ部１２（上壁１２Ｂ）が当たってしまうのを防止することができる。
【００３８】
尚、実施例では取付具１０で引き戸式のガラス戸２０のガラス２５表面に断熱シート２６を取り付けたが、取付具１０での断熱シート２６の取り付けはガラス戸２０に限らず、枠部材の一側が蝶番で枢支されこの枠部材にガラスが嵌め込まれた開閉式のガラス窓や、枠部材全体が壁に嵌め込まれて開閉できないガラス窓のガラス表面への断熱シート２６の取り付けに使用しても差し支えない。
【００３９】
また、取付具１０はステンレス板、アルミ板、リンセイ銅板などの弾性を有した錆びない金属板材の折曲形成により形成したが、取付具１０はこれに限らず、所定の厚さの合成樹脂の成形品にて構成しても差し支えない。
【００４０】
また、取付具１０の挿入部１１をアルミサッシのガラス戸２０に嵌め込まれたガラス２５と枠部材２１との間に挿入して断熱シート２６をガラス２５の表面に取り付けたが、取付具１０は木製の枠部材が用いられたガラス戸に嵌め込まれたガラスと枠部材との間に挿入部１１を挿入してガラス表面に断熱シート２６を取り付けるようにしても差し支えない。この場合、木製の枠部材が用いられたガラス戸のガラスが嵌め込まれた枠部材の溝は一般的に挿入部１１を挿入できる隙間があるので、その隙間に取付具１０の挿入部１１を挿入して断熱シート２６を取り付けることができる。これによって、従来の枠部材が木製のガラス戸や、枠部材が木製の雨戸などの断熱効果を大幅に向上させることができる。
【００４１】
また、取付具１０で２枚の略透明のシート間に直径約８ｍｍの円形空気室２６Ａが形成されたエアーマットからなる断熱シート２６をガラス戸２０に保持固定したが、取付具１０での保持固定はエアーマットからなる断熱シート２６に限らず、発泡シートにアルミ箔或いはアルミシートが貼ってある断熱シート、或いは、断熱性や遮光性を有するポリエステルシート、或いは戸外から室内を見えなくする効果のある不透明シートであっても差し支えない。
【００４２】
【発明の効果】
以上詳述した如く本発明によれば、枠部材に嵌め込まれたガラスに沿って断熱シートを保持するための取付具であって、枠部材とガラスとの隙間に挿脱可能に挿入可能な弾性を有する挿入部と、この挿入部に連続して設けられ、断熱シートをガラス表面に押し付ける押さえ部とを備えたので、挿入部を枠部材とガラスとの隙間に挿入するだけで取付具を簡単に取り付けることができるようになると共に、枠部材とガラスとの隙間に挿入した挿入部を引き抜くだけで取付具を簡単に外すことができる。これにより、例えばガラスが嵌め込まれたガラス戸やガラス窓が傷ついたり汚れたりしてしまうのを防止することが可能となる。従って、ガラス戸やガラス窓のガラス表面への断熱シートの着脱を極めて容易に行うことができるようになるものである。
【００４３】
特に、取付具は枠部材とガラスとの隙間に挿入部を挿入するだけで断熱シートを押さえ部でガラス表面に保持することができるので、例えば従来のようにガラス戸に断熱シートを取り付けるための取付枠や接着剤などを使用しなくても断熱シートをガラス戸のガラス表面に保持固定することができる。また、取付具で長期間でガラス戸やガラス窓に断熱シートを保持した後、取付具を外した場合でも、枠部材に接着剤が残ってしまうなどの不都合も防止することができる。従って、賃貸アパートなどの釘や接着剤を使用できない箇所での暖房や冷房効果を大幅に向上させることができるようになり、断熱シート取付具の利便性を大幅に向上させることができるようになるものである。
【００４４】
また、請求項２の発明によれば、上記において、挿入部が枠部材とガラスとの隙間に挿入された状態で、ガラス表面からの押さえ部の高さは、ガラス表面からの枠部材の高さ寸法以内となるので、例えば引き戸式の一方のガラス戸の開閉時に他方のガラス戸の枠部材に押さえ部が当たってしまうのを防止することができる。これにより、ガラス戸のガラス表面に断熱シートを取付具で取り付けても、ガラス戸の開閉を支障なく行うことが可能となる。従って、断熱シート取付具の汎用性を大幅に向上させることができるようになるものである。
【００４５】
また、請求項３の発明によれば、請求項１又は請求項２において、挿入部は、枠部材の長手方向寸法より短いので、例えばガラス戸やガラス窓の小さな枠部材或いは大きな枠部材などでも、枠部材の大きさに規制されることなく断熱シートをガラス表面に押さえ付けて保持することが可能となる。これにより、断熱シートを取り付けるため枠部材の大きさに合わせた従来のような取付枠を手配する必要もなくなる。従って、断熱シート取付具の汎用性を大幅に向上させることが可能となると共に、極めて利便性を向上させることができるようになるものである。
【００４６】
また、請求項４の発明によれば、請求項１、請求項２又は請求項３において、弾性を有する板材の折曲形成により、挿入部と押さえ部とを構成したので、例えば、請求項５の如く、挿入部が枠部材とガラスとの隙間に挿入された状態で押さえ部をガラス面側に所定の圧力で付勢できる方向に所定角度折曲することにより、押さえ部を所定の弾性力で窓ガラス表面に押さえ付けることができる。これにより、所定の圧力でガラス表面に断熱シートを保持固定することが可能となる。従って、断熱シートが例えば振動やエアコン或いは扇風機の風などが当たって窓ガラス表面から脱落してしまうのを確実に防止することができるようになるものである。
【００４７】
また、請求項６の発明によれば、請求項１、請求項２、請求項３、請求項４又は請求項５に加えて、押さえ部に所定寸法の貫通孔を形成したので、例えばマイナスドライバーなど先端部を貫通孔に挿入することができる。これにより、枠部材とガラスとの隙間に挿入した挿入部を、マイナスドライバーを持って引き抜くことができる。従って、枠部材とガラスとの隙間に挿入部が固く挿入固定されてしまった場合などでも、取付具によって手などをけがすることなく極めて容易に取付具を外すことができるようになり、断熱シート取付具の利便性を大幅に向上させることができるようになるものである。
【図面の簡単な説明】
【図１】本発明の取付具を用いて断熱シートをガラス表面に取り付けたガラス戸の斜視図である。
【図２】本発明の断熱シート取付具の斜視図である。
【図３】本発明の断熱シート取付具の側面図である。
【図４】枠部材とガラスとの間に断熱シート取付具の挿入部を挿入する状態を示す図である。
【図５】押さえ部が弾性変形した状態を示す取付具の側面図である。
【図６】ガラス表面に取付具で断熱シートを押さえ付けた状態を示す図である。
【図７】本発明の取付具を取り付けたガラス戸の開閉状態を示す図である。
【図８】押さえ部に貫通孔を形成した取付具の斜視図である。
【図９】もう一つの取付具の側面図である。
【符号の説明】
１０  取付具
１１  挿入部
１２  押さえ部
１２Ｂ  上壁
１２Ｄ  当接部
１３  貫通孔
２０  ガラス戸
２１  枠部材
２２  パッキン
２５  ガラス
２６  断熱シート
２７  マイナスドライバー
【図１】
2004324147.tif 000003
【図２】
2004324147.tif 000004
【図３】
2004324147.tif 000005
【図４】
2004324147.tif 000006
【図５】
2004324147.tif 000007
【図６】
2004324147.tif 000008
【図７】
2004324147.tif 000009
【図８】
2004324147.tif 000010
【図９】
2004324147.tif 000011